(57)【特許請求の範囲】
【請求項１】
プリントサイズに切断された印画紙を露光部に搬送する供給搬送部と、露光部で露光された印画紙を複数列に振り分ける振り分けユニットと、この振り分けユニットで先に振り分けられた印画紙を待機させ、後に振り分けられた印画紙とともに複数列の経路に送り出す整列ユニットと、この整列ユニットから受け渡された印画紙を複数列のまま現像処理部に送る並列搬送機構とを備えた写真処理装置であって、
前記整列ユニットから並列搬送機構に印画紙を受け渡す際に、複数列の印画紙夫々の受け渡しタイミングに差を設定し得るタイミング設定手段を備え、
前記複数列の印画紙夫々の受け渡しタイミングの差が、前記並列搬送機構の搬送終端部から送り出される前記複数列の印画紙夫々の先端位置又は後端位置が一致するように設定される写真処理装置。
【請求項２】
前記整列ユニットが、振り分けユニットで複数列に振り分けられた印画紙を独立して搬送する複数の搬送体と、この搬送体で送られる印画紙の位置を検出する位置センサとを備えて構成されると共に、前記タイミング設定手段は先に送られた印画紙を位置センサで検出すると、その搬送体での搬送を停止し、この後、最後に送られた印画紙を位置センサで検出すると設定されたタイミングで搬送体夫々の駆動を開始するよう制御形態が設定されている請求項１記載の写真処理装置。
【請求項３】
前記整列ユニットが、振り分けユニットで複数列に振り分けられた印画紙を独立して搬送する複数の搬送体と、この搬送体で送られる印画紙の位置を検出する位置センサとを備えて構成されると共に、前記タイミング設定手段は先に送られた印画紙を位置センサで検出すると、この検出位置で印画紙の搬送を停止する、若しくは、この検出位置を基準にした設定位置まで印画紙を送った後に搬送を停止し、この後、最後に送られた印画紙を位置センサで検出すると、この検出タイミング、若しくは、この検出位置を基準にして設定された位置に印画紙が達したタイミングで複数の搬送体の駆動を同時に開始するよう制御形態が設定されている請求項１記載の写真処理装置。
【請求項４】
前記整列ユニットから印画紙を送り出すタイミングを任意に設定する任意設定手段を備えると共に、この任意設定手段は、前記並列搬送機構の搬送終端部から送り出される前記複数列の印画紙夫々の送り量の差に対応する値をセットすることによって、整列ユニットから並列搬送機構に受け渡す際の印画紙の先頭位置に相対的な差を設定するよう制御形態が設定されている請求項１〜３のいずれか１項に記載の写真処理装置。
【請求項５】
前記現像処理部での現像処理が終了した印画紙を複数列のまま乾燥部で乾燥し、この乾燥後の印画紙を複数列のまま排出口に送り出す搬送経路が形成されると共に、この排出口に対して送り出される複数列の印画紙の排出タイミングを計測するタイミングセンサを備え、このタイミングセンサの計測結果から印画紙同士の相対的なタイミングの差を判別すると、前記整列ユニットから並列搬送機構に印画紙を受け渡すタイミングの設定変更によって複数列で排出される印画紙の目標タイミングとの差を小さくするよう前記タイミング設定手段が構成されている請求項１〜４のいずれか１項に記載の写真処理装置。
【発明の詳細な説明】
【０００１】
【発明の属する技術分野】
本発明は、プリントサイズに切断された印画紙を露光部に搬送する供給搬送部と、露光部で露光された印画紙を複数列に振り分ける振り分けユニットと、この振り分けユニットで先に振り分けられた印画紙を待機させ、後に振り分けられた印画紙とともに複数列の経路に送り出す整列ユニットと、この整列ユニットから受け渡された印画紙を複数列のまま現像処理部に送る並列搬送機構とを備えた写真処理装置に関する。
【０００２】
【従来の技術】
従来、上記のように構成された写真処理装置に類似するものとして特開平７‐１２０９０４号公報に示されるものが存在し、この従来例では、長尺ロール状の印画紙をプリントサイズに切断して露光を行い、この露光後の印画紙を振分部（本発明の振り分けユニットと整列ユニットに相当する）で２列の搬送経路に振り分け、この後、印画紙を２列のまま送出し、搬送手段を構成する多数の搬送ローラと圧着ローラとに２列の印画紙を挟み込んで現像処理部に送り現像処理を行うものとなっている。又、この従来の技術の振分部では先に送られた印画紙を待機させ、後に送り込まれた印画紙と同時に送り出すよう単一のモータで駆動される搬送系を備えている。
【０００３】
【発明が解決しようとする課題】
従来の技術で説明した装置では、露光時の光量増大等によって露光時間の短縮を図った場合でも、現像処理部での印画紙の搬送速度を高める必要がないので、現像処理部の処理時間を短縮することや、現像処理の経路長さを長くすることなく必要とする適切な処理時間をかけて現像処理を行えるものとなり、結果として、単位時間あたりの現像処理枚数を増大できるものとなっている。しかし、同じサイズの印画紙の先端位置を揃えた状態（搬送方向と直交するライン上に先端位置を一致させた状態）で印画紙を送り出し、現像処理を行った場合でも、現像処理後に送り出された印画紙の先端位置（後端位置でも同じ）に差を生ずることがある。このように差を発生させる原因としては搬送用のローラの圧着力が搬送経路と直交する方向において不均一である場合や、搬送用のローラの偏った摩滅や、これらに加えて現像処理液の粘性、印画紙の性質等の作用等の影響によることが考えられている。
【０００４】
又、印画紙を整列状態で現像処理し乾燥した後に送り出す装置を考えるに、乾燥された印画紙が同時に排出されるものでは、複数列で先に排出された印画紙と、この後に排出された複数列の印画紙との分離を容易に行えるためオーダ毎の区別を確実にするものとなる。特に、複数列で排出された印画紙を搬送経路と直交する方向に搬送方向を設定したコンベアベルト等で受止め、このように受け止めた複数枚の印画紙をコンベアベルト等の駆動によってソータの受け皿に送ることで積み重ね状態で受け皿に載置し、１オーダ分の印画紙が積み重ねられると、受け皿を移動させ、新たに受け皿をセットするよう構成された装置を考えると、処理能力を容易に向上し得るものとなる。
【０００５】
しかし、前述のように搬送時に複数列の印画紙が不揃いになる不都合が発生した場合には、先に整列状態で搬送される複数の印画紙と、後に整列状態で搬送される複数の印画紙との間隔が一定でなくなり、オーダ毎の区別が困難になるばかりか、排出された印画紙をコンベアベルト等で搬送して積み重ね状態にセットするものでは、コンベアベルト等に落下する印画紙のタイミングが不適正となり、印画紙の積み重ねの順序を狂わせる不都合を発生する点で改善の余地がある。
【０００６】
本発明の目的は、現像処理部に複数列で印画紙を送って現像処理を行った後の印画紙を精度高く整列状態で排出できる写真処理装置を合理的に構成する点にある。
【０００７】
【課題を解決するための手段】
本発明の第１の特徴（請求項１）は、プリントサイズに切断された印画紙を露光部に搬送する供給搬送部と、露光部で露光された印画紙を複数列に振り分ける振り分けユニットと、この振り分けユニットで先に振り分けられた印画紙を待機させ、後に振り分けられた印画紙とともに複数列の経路に送り出す整列ユニットと、この整列ユニットから受け渡された印画紙を複数列のまま現像処理部に送る並列搬送機構とを備えた写真処理装置において、前記整列ユニットから並列搬送機構に印画紙を受け渡す際に、複数列の印画紙夫々の受け渡しタイミングに差を設定し得るタイミング設定手段を備え、前記複数列の印画紙夫々の受け渡しタイミングの差が、前記並列搬送機構の搬送終端部から送り出される前記複数列の印画紙夫々の先端位置又は後端位置が一致するように設定される点にあり、その作用、及び、効果は次の通りである。
【０００８】
本発明の第２の特徴（請求項２）は請求項１において、前記整列ユニットが、振り分けユニットで複数列に振り分けられた印画紙を独立して搬送する複数の搬送体と、この搬送体で送られる印画紙の位置を検出する位置センサとを備えて構成されると共に、前記タイミング設定手段は先に送られた印画紙を位置センサで検出すると、その搬送体での搬送を停止し、この後、最後に送られた印画紙を位置センサで検出すると設定されたタイミングで搬送体夫々の駆動を開始するよう制御形態が設定されている点にあり、その作用、及び、効果は次の通りである。
【０００９】
本発明の第３の特徴（請求項３）は請求項１において、前記整列ユニットが、振り分けユニットで複数列に振り分けられた印画紙を独立して搬送する複数の搬送体と、この搬送体で送られる印画紙の位置を検出する位置センサとを備えて構成されると共に、前記タイミング設定手段は先に送られた印画紙を位置センサで検出すると、この検出位置で印画紙の搬送を停止する、若しくは、この検出位置を基準にした設定位置まで印画紙を送った後に搬送を停止し、この後、最後に送られた印画紙を位置センサで検出すると、この検出タイミング、若しくは、この検出位置を基準にして設定された位置に印画紙が達したタイミングで複数の搬送体の駆動を同時に開始するよう制御形態が設定されている点にあり、その作用、及び、効果は次の通りである。
【００１０】
本発明の第４の特徴（請求項４）は請求項１〜３のいずれか１項において、前記整列ユニットから印画紙を送り出すタイミングを任意に設定する任意設定手段を備えると共に、この任意設定手段は、前記並列搬送機構の搬送終端部から送り出される前記複数列の印画紙夫々の送り量の差に対応する値をセットすることによって、整列ユニットから並列搬送機構に受け渡す際の印画紙の先頭位置に相対的な差を設定するよう制御形態が設定されている点にあり、その作用、及び、効果は次の通りである。
【００１１】
本発明の第５の特徴（請求項５）は請求項１〜４のいずれか１項において、この乾燥後の印画紙を複数列のまま排出口に送り出す搬送経路が形成されると共に、この排出口に対して送り出される複数列の印画紙の排出タイミングを計測するタイミングセンサを備え、このタイミングセンサの計測結果から印画紙同士の相対的なタイミングの差を判別すると、前記整列ユニットから並列搬送機構に印画紙を受け渡すタイミングの設定変更によって複数列で排出される印画紙の目標タイミングとの差を小さくするよう前記タイミング設定手段が構成されている点にあり、その作用、及び、効果は次の通りである。
【００１２】
〔作用〕
上記第１の特徴によると、露光された印画紙は、振り分けユニットで複数列に振り分けられた後、整列ユニットから複数列の経路に沿って並列搬送機構に送り出されるものとなり、この送り出し時にはタイミング設定手段によって並列搬送機構に対する受け渡しタイミングに差を設定することが可能となる。このことから、並列搬送機構が複数列の経路に沿って印画紙を送る相対速度に差が発生し、複数の印画紙が整列状態で受け渡されても現像処理の後に不揃いの状態で搬送終端から送り出すものであっても、この差を吸収するよう（相殺するよう）タイミング設定手段による受け渡しタイミングを設定することによって、並列搬送機構の搬送終端部から送り出される複数の印画紙を揃えること、即ち、搬送経路と直交するラインと複数の印画紙の先端位置、若しくは、複数の印画紙の後端位置を一致させることが可能となる。
【００１３】
上記第２の特徴によると、振り分けユニットから整列ユニットの複数の搬送体の何れかに先の印画紙が供給された場合には、その搬送体で印画紙を搬送すると共に、この印画紙を位置センサで検出すると、その印画紙の搬送を停止するものとなり、この後、最後の印画紙が搬送体で搬送され、位置センサで検出された場合には、複数の搬送体の駆動を設定されたタイミングで開始するものとなり、この結果、並列搬送機構に対する印画紙の受け渡しタイミングに差を設定し得るものとなる。つまり、並列搬送機構が複数列の経路に沿って印画紙を送る速度に差が発生し、複数の印画紙が整列状態で受け渡された場合に現像処理の後に不揃いの状態で搬送終端から送り出すものであっても、整列ユニットの部位で先に送られた印画紙を基準位置で待機させておき、後に送られる印画紙が基準位置に達した際に、前記不揃いを解消するよう夫々の搬送体の駆動開始に時間差を設定することで、この並列搬送機構での搬送時に受け渡しタイミングの設定に対応する印画紙の相対位置の差が吸収され（相殺され）、複数の印画紙を整列状態で並列搬送機構から送り出すことも可能となる。
【００１４】
上記第３の特徴によると、振り分けユニットから整列ユニットの複数の搬送体の何れかに先の印画紙が供給された場合には、その搬送体で印画紙を搬送すると共に、この印画紙を位置センサで検出すると、この検出位置で印画紙の搬送を停止する、若しくは、その印画紙を設定された量だけ送った後に停止させるものとなり、この後、最後の印画紙が搬送体で搬送され、位置センサで検出された場合には、この検出タイミング、若しくは、この検出位置を基準にして設定された位置に印画紙が達したタイミングで複数の搬送体の同時駆動を開始するものとなる。つまり、並列搬送機構が複数列の経路に沿って印画紙を送る相対速度に差が発生し、複数の印画紙が整列状態で受け渡された場合に現像処理の後に不揃いの状態で搬送終端から送り出すものであっても、整列ユニットの部位で前記不揃いを解消する位置に印画紙の相対的な停止位置を設定しておき、全ての印画紙の搬送を同時に開始することで、この並列搬送機構での搬送時に複数の印画紙の相対位置の差が吸収され（相殺され）複数の印画紙を整列状態で並列搬送機構から送り出すことも可能となる。
【００１５】
上記第４の特徴によると、並列搬送機構が複数列の経路に沿って印画紙を送る相対速度に差が発生し、複数の印画紙が整列状態で受け渡された場合に現像処理の後に不揃いの状態で搬送終端から送り出すものであれば、この並列搬送機構の搬送終端位置で発生する印画紙の送り量の差に対応した値を任意設定手段で設定することにより、整列ユニットから並列搬送機構に対する複数の印画紙の受け渡しタイミングに差が設定され、並列搬送機構の搬送終端位置において印画紙を整列状態で送り出し得るものとなる。具体的には並列搬送機構の搬送終端位置から早期に印画紙を送り出す経路に対しては、遅れたタイミングで印画紙を受け渡し、逆に、並列搬送機構の搬送終端位置から遅れて印画紙を送り出す経路に対しては早いタイミングで印画紙を受け渡すように設定を行うことで、並列搬送機構での不揃いで搬送が行われる場合でも、この不揃いを吸収させて（相殺させて）複数の印画紙を整列状態で排出できるものとなるのである。
【００１６】
上記第５の特徴によると、乾燥部で乾燥処理が行われた後に排出口から複数列で排出された印画紙の夫々の相対的な排出タイミングに差が発生していることを、タイミングセンサの検出結果で判別すると、タイミング設定手段が整列ユニットから並列搬送機構に印画紙を受け渡すタイミングを変更する結果、複数列で排出される印画紙の目標タイミングとの差を小さくするものとなる。つまり、印画紙の排出が早期に行われる経路に対しては遅れたタイミングで印画紙を受け渡し、印画紙の排出が遅れて行われる経路に対しては早いタイミングで印画紙を受け渡す設定を自動的に行えるものとなり、作業者が手動で設定を行うもののように手間が掛かることがなく設定も正確に行える。
【００１７】
〔発明の効果〕
従って、現像処理を行った後の印画紙を並列搬送機構から精度高く整列した状態で排出できる写真処理装置が合理的に構成されたのである。又、整列ユニットの複数の搬送体からの印画紙の送出し開始のタイミングを設定することで印画紙を並列搬送機構から整列状態で排出できるものとなり、整列ユニットで印画紙を待機させる位置を設定することで複数の搬送体の同時駆動を可能にしながら印画紙を並列搬送機構から整列状態で排出できるものとなり、整列ユニットからの印画紙の送出しタイミングを任意に設定することで並列搬送機構の搬送の特性に対応して最適な設定を可能にして印画紙を整列状態で排出できるものとなり、並列搬送機構の経路での搬送速度の特性が変化した場合でも、この変化に対応して印画紙を整列状態で排出できるものとなった。
【００１８】
【発明の実施の形態】
［第１の実施の形態］
以下、本発明の第１の実施の形態を図面に基づいて説明する。
図１にはプリントサイズに切断した銀塩印画紙（以下印画紙と略称する）に対して露光を行い、この露光済みの印画紙を現像し、乾燥の後、送り出す処理を自動的に行う写真処理装置の概略が示されている。つまり、この現像処理装置は印画紙マガジン１Ｍに収納されたロール状の印画紙１を多数の挟持型のローラ２で引き出し、かつ、剪断位置に配置した一対のカッター刃で成るカッター３でプリントサイズに切断する前搬送機構Ａ（供給搬送部の一例）を備えると共に、この前搬送機構Ａからの印画紙１を露光搬送機構Ｂの搬送途中で露光を行った後、後搬送機構Ｃに受け渡すよう搬送経路を形成してあり、この後搬送機構Ｃからの印画紙１を振り分けユニットＤ（詳細は後述する）で３列の搬送経路に振り分けた後、整列ユニットＥ（詳細は後述する）によって複数の印画紙１の先端位置（搬送下手側の端部）を搬送経路に直交する整列ラインＬと一致するように整列させ、この整列ユニットＥから並列搬送機構Ｆによって複数の現像処理槽を有した現像処理部ｄｅに送って現像処理を行った後に、ヒータやブロアーを有した乾燥部ｄｒに送って乾燥処理を行い、この後、装置上部の排出口４から横送りコンベア５に３列同時に排出し、更に、この横送りコンベア５からソータ６に対して１オーダ単位で印画紙１を送り出して回収する搬送系を備えて構成されている。
【００１９】
前記露光搬送部Ｂは、搬送上手側の一対の挟持ローラ１０と搬送下手側の一対の挟持ローラ１１とで印画紙２を挟持搬送できるように構成され、この一対の搬送ローラ１０，１１の中間位置に露光ヘッド１２を備えている。この現像処理装置では、写真フィルムの画像情報をＣＣＤを有した光電変換部でＲ，Ｇ，Ｂの３原色のデジタル信号に変換してフレームメモリに保存する処理を予め行っておき、露光時にはフレームメモリからの画像情報を主走査方向に１ラインずつ読出し、この読出しと同期した速度で搬送ローラ１０，１１を駆動して印画紙１を副走査方向に移動させる制御を行うものとなっている（この光電変換系、露光処理系の構成は図面に示していない）。尚、夫々の挟持ローラ１０、１１は夫々とも圧着状態と離間状態とに切換えるアクチュエータ（図示せず）を備え、印画紙１を受け入れる際には一対のローラを離間状態に設定し、一対のローラに挟まれる位置に印画紙１が達したタイミングで印画紙１を圧着搬送する圧着状態に切換える制御が行われ、このように離間状態と圧着状態とに切換えることで、ローラと印画紙１との接触時の振動や歪みを低減した状態で円滑な搬送を行えるものとなっている。又、前記露光ヘッド１２のエンジンとしては、液晶シャッター方式、レーザー露光方式、ＣＲＴ方式、蛍光管方式などが知られているが、ここでは、液晶シャッター方式を用いたライン露光プリントヘッドが用いられている。
【００２０】
前記後搬送機構Ｃは印画紙を上下から挟み込んで挟持搬送する複数の挟持ローラ１３と、上下一対の挟持搬送ベルト１４とを備えており、この挟持搬送ベルト１４の搬送経路中には印画紙１の裏面側に印字を行うバックプリントヘッド１５とバックプリント位置センサ１５Ｓとを備えている。尚、バックプリントヘッド１５は印画紙１の裏面（反乳剤面）に、フィルムＩＤやコマ番号、さらにプリントデータ作成時に行われた画像処理を示す補正情報などを印字するものであり、通常ドットインパクトプリンタが用いられている。
【００２１】
前記振り分けユニットＤは図２、３に示すように、搬送上手側と下手側とのプーリ１８ｐに巻回された３条の駆動ベルト１８と、この駆動ベルト１８の上側に圧着するよう搬送上手側と下手側とのプーリ１９ｐに巻回された３条の圧着ベルト１９とで挟持搬送式に構成され、３条の駆動ベルト１８を同時に駆動するステッピングモータ型の振り分け搬送モータ１８Ｍと、これらを支持するフレーム２０を一体的に印画紙１の搬送方向と直交する方向に送るようフレーム２０に備えたナット２０Ｎに螺合するネジ軸２１と、このネジ軸２１を駆動するステッピングモータ型の振り分けモータ２１Ｍと、フレーム２０が左右方向での中央位置にセットされたことを検出するホームポジションセンサＨＳを備え、経路Ｘ（第１搬送経路）、経路Ｙ（第２搬送経路）、経路Ｚ（第３搬送経路）夫々に印画紙１を振り分けて送り出せるよう構成されている。
【００２２】
前記整列ユニットＥは図２、３に示すように、前記経路Ｘに送り出された印画紙１を搬送する２条の駆動ベルト２４と、この駆動ベルト２４の上側に圧着する２条の圧着ベルト２５とで成る挟持搬送式の第１搬送体Ｅ１、前記経路Ｙに送り出された印画紙１を搬送する１条の駆動ベルト２６と、この駆動ベルト２６の上側に圧着する１条の圧着ベルト２７とで成る挟持搬送式の第２搬送体Ｅ２、前記経路Ｚに送り出された印画紙１を搬送する２条の駆動ベルト２８と、この駆動ベルト２８の上側に圧着する２条の圧着ベルト２９とで成る挟持搬送式の第３搬送体Ｅ３夫々を備えると共に、第１、第２、第３搬送体Ｅ１，Ｅ２，Ｅ３の駆動ベルト２４，２６，２８を独立して駆動するステッピングモータ型の第１、第２、第３搬送モータＭ１，Ｍ２，Ｍ３、及び、第１、第２、第３搬送体Ｅ１，Ｅ２，Ｅ３の搬送終端位置に印画紙１が送られたことを検出する位置センサとして第１、第２、第３整列センサＳ１，Ｓ２，Ｓ３夫々を備えて構成されている。
【００２３】
又、第１搬送体Ｅ１の駆動ベルト２４は搬送上手側と下手側とのプーリ２４ｆ、２４ｒに巻回しており、第２搬送体Ｅ２の駆動ベルト２６は搬送上手側と下手側とのプーリ２６ｆ、２６ｒに巻回しており、第３搬送体Ｅ３の駆動ベルト２８は搬送上手側と下手側とのプーリ２８ｆ、２８ｒに巻回しており、これらに対応する圧着ベルト２５，２７，２９は搬送上手側と下手側とのプーリ２５ｐ、２７ｐ、２９ｐに巻回している。又、第１、第２、第３搬送体Ｅ１，Ｅ２，Ｅ３の駆動ベルト２４，２６，２８の搬送下手側のプーリ２４ｒ、２６ｒ、２８ｒは筒状のものが用いられると共に、これらのプーリ２４ｒ、２６ｒ、２８ｒを貫通する駆動支軸３０に対して第１搬送体Ｅ１のプーリ２４ｒは遊転支承され、第２搬送体Ｅ２のプーリ２６ｒは該駆動支軸３０と一体回転するよう連結固定され、第３搬送体Ｅ３のプーリ２８ｒは該駆動支軸３０に遊転支承され、更に、プーリ２４ｒはギヤ連動機構３１を介して前記第１搬送モータＭ１と連動し、プーリ２６ｒは駆動支軸３０の軸端に備えたギヤ連動機構３１を介して前記第２搬送モータＭ２と連動し、プーリ２８ｒはギヤ連動機構３１を介して前記第３搬送モータＭ３と連動している。尚、夫々のギヤ連動機構３１の変速比は等しいものが用いられている。
【００２４】
同図に示すように、第１、第２、第３搬送体Ｅ１，Ｅ２，Ｅ３夫々の搬送上手側のプーリ２４ｆ、２６ｆ、２８ｆは筒状のものが用いられると共に、これらのプーリ２４ｆ、２６ｆ、２８ｆを貫通する操作軸３２と、これらのプーリ２４ｆ、２６ｆ、２８ｆとの間には、第１、第２、第３搬送体Ｅ１，Ｅ２，Ｅ３夫々が搬送下手側に印画紙１を搬送する方向に駆動された際に操作軸３２に対してこれらのプーリ２４ｆ、２６ｆ、２８ｆの回転を許すよう一方向クラッチとしてのワンウエイベアリング３３を備え、更に、この操作軸３２の端部には人為的に回動操作するノブ３４を備えている。
【００２５】
つまり、ノブ３４を人為的に回動操作した場合には、操作軸３２からの回動操作力がワンウエイベアリング３３を介してプーリ２４ｆ、２６ｆ、２８ｆに伝えられ、このプーリ２４ｆ、２６ｆ、２８ｆの回転力で３つの駆動ベルト２４，２６，２８を同時に作動させる結果、第１、第２、第３搬送体Ｅ１，Ｅ２，Ｅ３夫々を搬送下手側に作動できるものとなっており、整列ユニットＥに印画紙１が詰まった場合や、印画紙１を試験的に搬送する場合にはノブ３４を人為的に回動操作することによって印画紙１の搬送を行えるものとなっている。
【００２６】
並列搬送機構Ｆは、図１に示すように整列ユニットＥから３列の経路Ｘ、経路Ｙ、経路Ｚに送り出される印画紙１を３列分同時に圧着挟持して搬送する多数のローラ３６を現像処理部ｄｅと乾燥部ｄｒとに亘り所定の間隔で配置してあり、整列ユニットＥから並列状態で送り出された印画紙１は、印画紙１の性能や特性に基づいて予め設定された速度で整列状態のまま現像処理部ｄｅに搬送され、この現像処理部ｄｅで現像処理された印画紙１は整列状態のまま乾燥部ｄｒに搬送され、この乾燥部ｄｒで乾燥処理が行われた印画紙１は前記排出口４から並列状態で同時に横送りコンベア５上に送り出され、更に、横送りコンベア５で受止められた状態で横方向に搬送され、ソータ６の受け皿に対して順次送り込まれるものとなっている。尚、ソータ６は、該ソータ６の受け皿に送り込まれる印画紙１の枚数が１オーダ分に達すると、その受け皿を下降させ、次の受け皿を上端位置にセットして次のオーダの印画紙１を受け入れるよう作動する。
【００２７】
又、並列搬送ユニットＦのローラ３６が３列の経路Ｘ、経路Ｙ、経路Ｚに送られる印画紙１を同時に挟持して搬送するよう軸方向に長く形成されているので、このローラ３６の軸方向で印画紙１を挟持する力が均一することが困難で、３列の経路Ｘ、経路Ｙ、経路Ｚにおける印画紙１の搬送速度に差を生じ整列ユニットＥから整列状態で印画紙１を送り出した場合でも排出口４から排出される際には不揃いの状態になりやすい。そこで、この写真処理装置では整列ユニットＥから並列搬送機構Ｆに対して３列の印画紙１を受け渡す際のタイミングを調節自在にすることで排出口４から整列状態で３列の印画紙１を送り出し、１オーダの最後の印画紙１を排出口４から横送りコンベア５に排出し終えた場合にも、次の印画紙１との間を明確にして１オーダ毎の分離性を高くするものとなっている。
【００２８】
この写真処理装置のうち振り分けユニットＤと整列ユニットとＥとの制御を行う制御系を模式的に示すと、図４のように表すことが可能であり、この制御系ではマイクロプロセッサ（図示せず）を備えた制御手段としての制御装置３８に対してホームポジションセンサＨＳ、前記第１整列センサＳ１、第２整列センサＳ２、第３整列センサＳ３夫々からの信号、３列の経路Ｘ、経路Ｙ、経路Ｚに送られる印画紙１が前記排出口４に達したことを検出する第１排出センサＴ１、第２排出センサＴ２、第３排出センサＴ３（タイミングセンサの一例）夫々からの信号、及び、操作卓３９夫々からの信号を入力する系が形成されると共に、振り分け搬送モータ１８Ｍ、振り分けモータ２１Ｍ、第１、第２、第３搬送モータＭ１，Ｍ２，Ｍ３、前記並列搬送機構Ｆの複数のローラ３６を駆動する並列搬送モータ３６Ｍ、ソータ６、モニター４０夫々に対して駆動信号を出力する系が形成されている。尚、振り分け搬送モータ１８Ｍ、振り分けモータ２１Ｍ、第１、第２、第３搬送モータＭ１，Ｍ２，Ｍ３、はステッピングモータで構成されているので、駆動パルス信号に対応した量だけ回転するものとなっており、印画紙１を高速で搬送するためには第１、第２、第３搬送モータＭ１，Ｍ２，Ｍ３の駆動パルス信号の周期を短くし、又、第１、第２、第３搬送モータＭ１，Ｍ２，Ｍ３を駆動して印画紙１を必要量だけ搬送する場合には設定された数だけ駆動パルス信号を出力するものとなり、この駆動パルス信号の数の差に基づいて夫々の経路に搬送される印画紙１の搬送方向での相対位置関係も判別する処理を行えるよう制御装置３８の処理形態が設定されている。
【００２９】
次に後搬送機構Ｃからの印画紙１を振り分けユニットＤで振り分ける際の作動形態、整列ユニットＥの作動形態、及び、この整列ユニットＥから印画紙１を送り出す際の作動形態を説明する。
【００３０】
つまり、整列ユニットＥ内に印画紙１が存在しない状態では、図５（イ）に示すように、振り分けモータ２１Ｍの駆動で振り分けユニットＤのフレーム２０を同図において左端部（以下、左端部と称する）にセットした状態で後搬送機構Ｃからの印画紙１「Ｐ１」を駆動ベルト１８と圧着ベルト１９との間に受け取り、図５（ロ）に示すように、この受け取りの後に振り分けモータ２１Ｍの駆動でフレーム２０を同図において右端部（以下、右端部と称する）まで移動させ、かつ、振り分け搬送モータ１８Ｍを駆動することで駆動ベルト１８と圧着ベルト１９とに挟持された印画紙１「Ｐ１」を右端部側の経路Ｘに送出すものとなっている。次の印画紙１「Ｐ２」が供給された場合には、図５（ハ）に示すように、フレーム２０をそのまま右端部にセットした状態で後搬送機構Ｃからの印画紙１「Ｐ２」を駆動ベルト１８と圧着ベルト１９との間に受け取り、図５（ニ）に示すように、そのまま搬送を行うことで駆動ベルト１８と圧着ベルト１９に挟持された印画紙１「Ｐ２」を中央部の経路Ｙに印画紙１「Ｐ２」を送出すものとなっている。
【００３１】
次に印画紙１「Ｐ３」が供給された場合には、図６（ホ）に示すように、フレーム２０をそのまま右端部にセットした状態で後搬送機構Ｃからの印画紙１「Ｐ３」を動ベルト１８と圧着ベルト１９との間に受け取り、図６（ヘ）に示すように、フレーム２０を左端部に移動させて駆動ベルト１８の駆動を図６（ト）に示すように、行うことで駆動ベルト１８と圧着ベルト１９で挟持された印画紙１「Ｐ３」を左端側の経路Ｚに送出す作動を行うものとなっており、この作動をこの順序で繰り返して行うことにより経路Ｘと経路Ｙと経路Ｚとの３つの搬送経路に印画紙１を送り出すものとなっている。尚、フレーム２０を右端部、あるいは、左端部に移動させる際にはホームポジションセンサＨＳでフレーム２０を検出した位置を基準にして予め設定された数のパルス信号で振り分けモータ２１Ｍを正転駆動する、あるいは、逆転駆動することで、予め設定された右端部、あるいは、左端部までフレーム２０を送るものとなっている。
【００３２】
又、整列ユニットＥでは経路Ｘと経路Ｙと経路Ｚとの３列の経路に印画紙１を独立して搬送できるよう構成されていることから、前述のように、振り分けユニットＤから経路Ｘに印画紙１「Ｐ１」が送り出されると、整列ユニットＥの第１搬送モータＭ１を制御して第１搬送体Ｅ１での搬送を開始し、次に、振り分けユニットＤから経路Ｙに印画紙１「Ｐ２」が送り出されると、整列ユニットＥの第２搬送モータＭ２を制御して第２搬送体Ｅ２での搬送を開始し、次に、振り分けユニットＤから経路Ｚに印画紙１「Ｐ３」が送り出されると、整列ユニットＥの第３搬送モータＭ３を制御して第３搬送体Ｅ３での搬送を開始するものとなっており、しかも、第１搬送体Ｅ１、第２搬送体Ｅ２、第３搬送体Ｅ３の順序で印画紙１の搬送速度を高速化する駆動信号を第１、第２、第３搬送モータＭ１、Ｍ２、Ｍ３出力にするよう制御装置３８の制御動作が設定され、これにより経路Ｘで送られる印画紙１の先端（搬送下手側の端部）が整列ラインＬに達した直後に経路Ｙで送られる印画紙１「Ｐ２」が整列ラインＬに達し、この直後に経路Ｚで送られる印画紙１「Ｐ３」が整列ラインＬに達するよう速度が設定されている。
【００３３】
又、制御装置３８は、前述したように第１センサＳ１で印画紙１「Ｐ１」を検出すると（整列ラインＬに達したことを検出すると）第１搬送体Ｅ１を停止させ、第２センサＳ２で印画紙１「Ｐ２」を検出すると（整列ラインＬに達したことを検出すると）第２搬送体Ｅ２を停止させ、第３センサＳ３で印画紙１「Ｐ３」を検出すると（整列ラインＬに達したことを検出すると）、次に説明する制御に従って、第１搬送体Ｅ１、第２搬体Ｅ２、第３搬送体Ｅ３夫々を駆動して経路Ｘ、経路Ｙ、経路Ｚ夫々に印画紙１「Ｐ１」、「Ｐ２」、「Ｐ３」を送り出すものとなっている。
【００３４】
つまり、印画紙１「Ｐ１」、「Ｐ２」、「Ｐ３」を送り出す制御の概要は図９のフローチャートに示すことが可能であり、この制御では、タイミング設定ルーチン（＃２００ステップ）を実行して、３列の経路Ｘ、経路Ｙ、経路Ｚに印画紙１を送り出す「送り出し順序」と、「第１オフセット値」Ｄ１と、「第２オフセット値」Ｄ２とを設定すると共に（図７を参照）、第３整列センサＳ３が印画紙１「Ｐ３」を検出した場合には「送り出し順序」と「第１オフセット値」Ｄ１と「第２オフセット値」Ｄ２とに基づいて補正の必要性を判断し、補正の必要がないと判断した場合には（例えば、後述するタイミングの設定が為されていない場合等には）、第３搬送体Ｅ３の駆動を継続したまま、この第３搬送モータＭ３の駆動速度と同期する速度で第１、第２搬送体Ｅ１、Ｅ２の駆動を開始することで、図６（チ）に示すように、３列の印画紙１「Ｐ１」、「Ｐ２」、「Ｐ３」を整列した状態で並列搬送機構Ｆに受け渡す制御を行い、この受け渡しに充分な量だけ印画紙１「Ｐ１」、「Ｐ２」、「Ｐ３」を搬送した後に第１、第２、第３搬送体Ｅ１、Ｅ２、Ｅ３の駆動を停止する制御を行い（＃１０１〜＃１０５ステップ）、＃１０２ステップで補正は必要であると判断した場合には補正送り出しルーチン（＃３００ステップ）を実行する。
【００３５】
前記タイミング設定ルーチン（＃２００ステップ）では「送り出し順序」と、「第１オフセット値」Ｄ１と「第２オフセット値」Ｄ２とを設定するものであり、このルーチンでは手動（マニュアル）での設定と自動（オート）との何れによって設定し得るものとなっている。つまり、手動で任意に設定する際には、予め設定された操作により前記モニター４０に対して図８に示すタイミング設定用のダイアログボックスを表示し、このダイアログボックスにおいて経路Ｘ（第１搬送経路）に対応する「ＮＯ．１」、経路Ｙ（第２搬送経路）に対応する「ＮＯ．２」、経路Ｚ（第３搬送経路）に対応する「ＮＯ．３」夫々におけるオフセット量を設定するカーソルＣＵ１、ＣＵ２、ＣＵ３を操作卓３９から操作することになる。又、このダイアログボックスではカーソルＣＵ１、ＣＵ２、ＣＵ３を（０）を基準にしてプラス（＋）の側に操作することで送り出しタイミングを早め、（０）を基準にして（−）の側に操作することで送り出しタイミングを遅らせ、夫々のカーソルＣＵ１、ＣＵ２、ＣＵ３の相対的な差がタイミングとして設定されるものとなる。つまり、最もプラス（＋）の側にカーソルが突出する状態に設定された経路に対して印画紙１が最初に送り出され、この次に、２番目に突出したカーソルが設定された経路に対して次の印画紙１が送り出され、夫々のカーソルの相対差が第１オフセット値Ｄ１として設定され、これと同様に２番目のカーソルと３番目のカーソルとの相対差を第２オフセット値Ｄ２として設定して最後の印画紙１が経路に送り出されるものとなる。又、このタイミング設定ルーチン（＃２００ステップ）では第１、第２、第３排出センサＴ１、Ｔ２、Ｔ３からの信号に基づいて「送り出し順序」と、「第１オフセット値」Ｄ１と「第２オフセット値」Ｄ２との補正を行う処理が行われるものとなっている。
【００３６】
図１０のフローチャートに示すように、タイミング設定ルーチン（＃２００ステップ）ではフラグを判別して「０」である場合には（初期状態は「０」）、前記ダイアログボックスでの設定に基づいて「送り出し順序」と「第１オフセット値」Ｄ１と「第２オフセット値」Ｄ２とをセットし、このセットの処理を終えるとフラグを「１」にセットする（＃２０１〜＃２０３ステップ・手動設定）。次に、第１、第２、第３排出センサＴ１、Ｔ２、Ｔ３から信号が入力された場合には、夫々の信号に基づいて補正の必要性を判断し、この信号のタイミング差が大きい場合には補正が必要であると判断し、このタイミング差を「０」にするよう「送り出し順序」と「第１オフセット値」Ｄ１と「第２オフセット値」Ｄ２とを補正する処理を行う（＃２０４〜＃２０７ステップ・自動設定）、更に、ダイアログボックスを介してタイミングが再度設定された場合にはフラグを「０」に設定して「送り出し順序」と「第１オフセット値」Ｄ１と「第２オフセット値」Ｄ２との手動による再設定を可能にする処理を行うものとなっている（＃２０８，＃２０９ステップ）。すなわち、図１０のフローチャートの制御では、タイミングの補正は第１、第２、第３排出センサＴ１、Ｔ２、Ｔ３からの信号に基づいて原則として自動的に行われるのであるが、装置の稼動開始時において第１、第２、第３排出センサＴ１、Ｔ２、Ｔ３からの信号が入力されていないとき、及び、＃２０６ステップにおいて制御装置３８が補正する必要なしと判断している場合において作業者が何らかの異常により手動操作で補正する必要があると判断したときに、手動補正が有効になる。
【００３７】
尚、この処理では手動で設定した後に、第１、第２、第３排出センサＴ１、Ｔ２、Ｔ３から信号に基づいて再設定が必要になった場合には、自動的にタイミングの設定を行うものとなっているが、手動による設定だけを可能にする手動モードと、自動による設定だけを可能にする自動モードとの制御の何れか一方を選択する切換スイッチ等を設けて実施することが可能である。
【００３８】
「送り出し順序」と「第１オフセット値」Ｄ１と「第２オフセット値」Ｄ２とを具体的に説明すると、整列ユニットＥから並列搬送機構Ｆに対して整列状態で印画紙１が受け渡された場合において、この並列搬送機構Ｆで搬送された結果、その３列の印画紙１が排出口４から送り出された際の整列状態が、例えば、図７の左欄に示す如く経路Ｘ、経路Ｚ、経路Ｙの順序で印画紙１が送り出され、経路Ｘと経路Ｚとの印画紙１の相対距離がＧ１となり、経路Ｚと経路Ｙとの相対距離がＧ２となる不揃いな状況が発生した場合には、これと逆の状態で整列ユニットＥから並列搬送機構Ｆに対して印画紙１送り出すことにより、この不揃いの状態を解消できることが明らかであるから、図７の右欄に示す如く、経路Ｙ、経路Ｚ、経路Ｘの順序で印画紙１を送り出すと共に、経路Ｙに送り出される印画紙１と経路Ｚに送り出される印画紙１とのオフセット値Ｄ１を前記相対距離Ｇ２に設定し、経路Ｚに送り出される印画紙１と経路Ｘに送り出される印画紙１とのオフセット値Ｄ２が前記相対距離Ｇ１に設定される。尚、排出口４から送り出される印画紙１の順序と不揃いの状態が判明しておれば、前述のダイアログボックスにより「送り出し順序」と「第１オフセット値」Ｄ１と「第２オフセット値」Ｄ２とをセットすれば良く、セットしていない場合でも排出口４から印画紙１が不揃いの状態で送り出された後に後述するように自動的にセットされるものとなる。
【００３９】
又、「送り出し順序」と「第１オフセット値」Ｄ１と「第２オフセット値」Ｄ２とから補正が必要であると判断した場合には、補正送り出しルーチン（＃３００ステップ）を実行する。この補正送り出しルーチンは図１１のフローチャートに示すように、第３整列センサＳ３が印画紙１を検出したタイミングで第３搬送体Ｅ３（経路Ｚ）の「送り出し順序」が１番である場合にのみ駆動を継続し、又、第３搬送体Ｅ３（経路Ｚ）の「送り出し順序」が１番でない場合には第３搬送体Ｅ１の駆動を停止し、「送り出し順序」が１番の搬送体の駆動を開始する（＃３０１、＃３０２ステップ）。
【００４０】
具体的に図７の右欄のような形態で印画紙１の送り出しを行う場合には、経路Ｙの印画紙１が「送り出し順序」１番となり、経路Ｚの印画紙１が「送り出し順序」２番となり、第３整列センサＳ３が印画紙１を検出すると、この経路Ｚでの搬送を停止すると共に、「送り出し順序」１番の印画紙１（経路Ｙ）を第１オフセット値Ｄ１に達する時間だけ搬送し（第１オフセット値Ｄ１に対応する量だけ搬送する制御でも良い）、この時間が経過すると、次に、この搬送を継続したままで「送り出し順序」２番の印画紙１（経路Ｚ）を第２オフセット値Ｄ２に達する時間だけ搬送し（第２オフセット値Ｄ２に対応する量だけ搬送する制御でも良い）、この時間が経過すると、これらの搬送を継続したまま最後の印画紙１（経路Ｘ）の搬送を開始し、この後、受け渡しに充分な量だけ印画紙１を搬送する時間が経過した後に、経路Ｘ、経路Ｙ、経路Ｚでの搬送を停止する、つまり、第１、第２、第３搬送体Ｅ１、Ｅ２、Ｅ３の駆動を停止する制御を行うものとなっている（＃３０３〜＃３０８ステップ）。以上の処理のうち＃２００ステップと＃３００ステップとで複数列の印画紙夫々の受け渡しタイミングに差を設定するタイミング設定手段ＴＭが構成され、操作卓３９で整列ユニットＥから印画紙１を送り出すタイミングを任意に設定する任意設定手段Ｖが構成されている。
【００４１】
このように、本第１の実施の形態では露光位置で露光され、後搬送機構Ｃによって１列で搬送される印画紙１を振り分けユニットＤによって経路Ｘ、経路Ｙ、経路Ｚ夫々の３列の経路に振り分けると共に、このように振り分けられた３列の印画紙１を整列ユニットＥから設定されたタイミングで並列搬送機構Ｆに受け渡すので、並列搬送機構Ｆで３列の印画紙１を現像処理部ｄｅ、乾燥部ｄｒ夫々に搬送する際に不揃いの状態に陥る場合でも排出口４から送り出す際には精度高く整列状態に設定することが可能となり、その結果、１オーダ毎の分離を良好に行えるものとなっている。特に、本発明では、整列ユニットＥから印画紙１を送り出すタイミングを設定しない場合や、この設定が適正に行われた後に並列搬送機構Ｆのローラ３６の搬送性能が変化した場合や、印画紙１の厚みの影響、現像処理液の影響によって並列搬送機構Ｆの経路Ｘ、経路Ｙ、経路Ｚ夫々の搬送速度が更に変化した場合にも排出口４に配置した第１、第２、第３排出センサＴ１、Ｔ２、Ｔ３の検出結果に基づいて整列ユニットＥから適正なタイミングで並列搬送機構Ｆに受け渡すことを可能にし、その結果、印画紙１を排出口４から送り出す際には精度の良い整列状態に維持できるものとなっている。
【００４２】
［第２の実施の形態］
以下、本発明の第２の実施の形態を図面に基づいて説明する。
この第２の実施の形態では前記第１の実施の形態と同じ機能を有するものには第１の実施の形態と共通の番号、符号を付している。
【００４３】
この第２の実施の形態では、ハードウエアは第１の実施の形態と何ら変わるとことがなく、制御形態が異なるものとなっている。つまり、タイミング制御の概要は図１２のフローチャートに示すことが可能であり、この制御では、タイミング設定ルーチン（＃２００ステップ）を実行して、３列の経路Ｘ、経路Ｙ、経路Ｚに印画紙１を送り出す「送り出し順序」と、「第１オフセット値」Ｄ１と、「第２オフセット値」Ｄ２とを設定すると共に、この設定結果に基づいて補正が必要ないと判断した場合（例えば、タイミングが設定されていない場合等には）には、第１整列センサＳ１の検出タイミングで第１搬送体Ｅ１の搬送を停止し、第２整列センサの検出タイミングで第２搬送体Ｅ２の搬送を停止する制御を行い、この後、第３整列センサＳ３が印画紙１を検出したタイミングで、第３搬送体Ｅ３の駆動を継続したまま、この第３搬送モータＭ３の駆動速度と同期する速度で第１、第２搬送体Ｅ１、Ｅ２の駆動を開始することで、前記図６（チ）に示すように、３列の印画紙１「Ｐ１」、「Ｐ２」、「Ｐ３」を整列した状態で並列搬送機構Ｆに受け渡す制御を行い、この受け渡しに充分な量だけ印画紙１「Ｐ１」、「Ｐ２」、「Ｐ３」を搬送した後に第１、第２、第３搬送体Ｅ１、Ｅ２、Ｅ３の駆動を停止する処理を行う（＃１０１〜＃１０６ステップ）。
【００４４】
この第２の実施の形態のタイミング設定ルーチン（＃２００ステップ）は前述した第１の実施の形態と同じ処理を行うものであるため説明を省略する。又、＃１０１ステップで補正が必要と判断した場合には、補正送り出しルーチン（＃３００ステップ）を実行する。
【００４５】
この補正送り出しルーチン（＃３００ステップ）は図１３のフローチャートに示すように、第１、第２整列センサＳ１、Ｓ２の検出に基づいて、タイミング設定ルーチン（＃２００ステップ）で設定された「送り出し順序」と「オフセット値」とに基づいて印画紙１の位置をセットする。この印画紙１のセットを行う際の具体的な例として第１の実施の形態において図７の右欄で説明した「送り出し順序」と「第１オフセット値」Ｄ１と「第２オフセット値」Ｄ２とを用いて説明すると、経路Ｘの印画紙１を第１整列センサＳ１が印画紙１を検出すると、検出タイミングで第１搬送体Ｅ１を停止し、次に、経路Ｙの印画紙１を第２整列センサＳ２が検出すると、この検出位置から「第１オフセット値」Ｄ１と「第２オフセット値」Ｄ２とを併せた値（Ｄ１＋Ｄ２）に相当する距離だけ印画紙１を送った後に第２搬送体Ｅ２を停止する（＃３０１ステップ）。
【００４６】
次に第３整列センサＳ３が印画紙を検出すると、この検出位置から「第２オフセット値」Ｄ２だけ印画紙１を送ったタイミングで（＃３０２ステップ）、第３搬送体Ｅ３の駆動を継続したまま、この第３搬送体Ｅ３の駆動速度と同期する速度で第１、第２搬送体Ｅ１、Ｅ２の駆動を開始することで、＃３０２ステップに示す印画紙１の相対関係を維持した状態で、これらの印画紙１を並列搬送機構Ｆに受け渡す制御を行い、この受け渡しに充分な量だけ印画紙１を搬送した後に第１、第２、第３搬送体Ｅ１、Ｅ２、Ｅ３の駆動を停止する制御を行うものとなっている（＃３０３、＃３０４ステップ）。
【００４７】
つまり、この第２の実施の形態では、第１の実施の形態のように整列ユニットＥで整列ラインＬに沿って印画紙１を整列させた後、「送り出し順序」に従って印画紙１を送り出すものとは異なり、整列ユニットＥの内部で印画紙１を図１３の＃３０２ステップに示す如く非整列状態でセットし、第３の経路Ｚの第３整列センサＳ３が印画紙１を検出したタイミングで３列の印画紙１を同時に送り出す制御を行うことで、並列搬送機構Ｆで３列の整列状態の印画紙１を現像処理部ｄｅ、乾燥部ｄｒ夫々に搬送する際に不揃いの状態に陥る場合でも排出口４から送り出す際には精度の良い整列状態に設定することが可能となり、その結果、１オーダ毎の分離を良好に行えるものとなっている。
【００４８】
このように、本発明では、整列ユニットＥから並列搬送機構Ｆに対して３列の印画紙１を受け渡す際に、タイミングを設定することにより、並列搬送機構Ｆの３列の印画紙１を不揃いで送るもの（搬送系に速度差があるもの）であっても３列の印画紙１を精度高く整列させて排出口４から送り出せる写真処理装置が合理的に構成されたのである。又、並列搬送機構Ｆが印画紙１を不揃いの状態で送るものであることが判明している場合には人為的な設定で精度の高い補正を行えるものとなり、又、この人為的な設定を行わない場合や、人為的な設定を行った後に並列搬送機構の３列の搬送系の搬送速度に差を発生した場合には自動的に補正を行うことで一層良好な整列状態で排出口４から印画紙１を送り出せるものとなったのである。
【００４９】
〔別実施の形態〕
本発明は上記実施例以外に、２列の搬送系に印画紙を送るものや、４列以上の搬送系に印画紙を送るものに適用することが可能であり、又、例えば、露光位置でフィルムのコマ画像に光源からの光線を透過させ、この透過光線をレンズを介し印画紙に対して投影露光する構造の写真処理装置に適用することが可能である。そして、本発明では、タイミング設定用にダイヤルで操作されるポテンショメータ類を３つ備えて実施することが可能であり、整列ユニットＥにおいて搬送経路に送られた印画紙１の後端位置を判別するよう整列センサを配置すると共に、排出口４に備えた排出センサ（タイミングセンサ）で印画紙１の後端位置を判別するよう構成するよう構成することも可能である。
【図面の簡単な説明】
【図１】写真処理装置の概略を示す側面図
【図２】振り分けユニットと整列ユニットとを示す平面図
【図３】振り分けユニットと整列ユニットとの展開図
【図４】制御系のブロック回路図
【図５】振り分けユニットから整列ユニットに対して印画紙を受け渡す順序を連続的に示す図
【図６】振り分けユニットから整列ユニットに対して印画紙を受け渡す順序を連続的に示す図
【図７】排出口での印画紙の排出状態と整列ユニットでの整列状態とを示す図
【図８】タイミング設定用のダイアログボックスを示す図
【図９】タイミング制御のフローチャート
【図１０】タイミング設定ルーチンのフローチャート
【図１１】補正送り出しルーチンのフローチャート
【図１２】第２の実施の形態のタイミング制御のフローチャート
【図１３】第２の実施の形態の補正送り出しルーチンのフローチャート
【符号の説明】
１                印画紙
４                排出口
Ｄ                振り分けユニット
Ｅ                整列ユニット
Ｅ１，Ｅ２，Ｅ３  搬送体
Ｆ                並列搬送機構
Ｌ                整列ライン
Ｓ１，Ｓ２，Ｓ３  センサ
Ｔ１，Ｔ２，Ｔ３  タイミングセンサ
ＴＭ              タイミング設定手段
Ｖ                任意設定手段
【図１】
0003791661.tif 000002
【図２】
0003791661.tif 000003
【図３】
0003791661.tif 000004
【図４】
0003791661.tif 000005
【図５】
0003791661.tif 000006
【図６】
0003791661.tif 000007
【図７】
0003791661.tif 000008
【図８】
0003791661.tif 000009
【図９】
0003791661.tif 000010
【図１０】
0003791661.tif 000011
【図１１】
0003791661.tif 000012
【図１２】
0003791661.tif 000013
【図１３】
0003791661.tif 000014